(57)【特許請求の範囲】
【請求項１】
四角フレーム形態で建物のベランダやバルコニーと相接する建物の外壁に固定設置された壁体固定フレーム（１）；
全面が閉鎖された四角フレーム形態で壁体固定フレーム（１）の前方に設置された外部フレーム（３）；
前記壁体固定フレーム（１）と前記外部フレーム（３）との左右面に一対が設置され、ヒンジ結合されて折れたり広がったりする第１側壁（５）と第２側壁（７）とを含み、前記第１側壁（５）は、前記第２側壁（７）とヒンジ結合された側の端部とは反対側の端部で前記外部フレーム（３）に軸固定され、前記第２側壁（７）は、前記第１側壁（５）とヒンジ結合された側の端部とは反対側の端部で前記壁体固定フレーム（１）に軸固定された摺綴式側部昇下降手段（９）；
前記壁体固定フレーム（１）と前記外部フレーム（３）の下部に設置され、ヒンジ結合されて折れたり広がったりする第１底板（１１）と第２底板（１３）とを含み、前記第１底板（１１）は、前記第２底板（１３）とヒンジ結合された側の端部とは反対側の端部で前記外部フレーム（３）に軸固定され、前記第２底板（１３）は、前記第２底板（１３）とヒンジ結合された側の端部とは反対側の端部で前記壁体固定フレーム（１）に軸固定された摺綴式下部底板（１５）；
前記摺綴式下部底板（１５）を貫通して火災や災難が発生した場合、人が下階に移動することができるようにする非常口（１７）；
前記非常口（１７）に設置された状態で開閉することで前記非常口（１７）を閉鎖したり開放したりして、前記摺綴式下部底板（１５）が折れる時、前記摺綴式下部底板（１５）に従って折れ、前記摺綴式下部底板（１５）が広がる時、前記摺綴式下部底板（１５）に従って広がる摺綴式非常口開閉手段（１９）；
火災が発生した場合、上部ハンドル（２１）の操作によって前記壁体固定フレーム（１）と前記外部フレーム（３）の間に重ねられていた前記摺綴式側部昇下降手段（９）と、前記摺綴式下部底板（１５）と、前記摺綴式非常口開閉手段（１９）とを広げると同時に前記外部フレーム（３）を高層建物の前方に押し出すことで避難通路を提供する上部避難構造変更手段（２３）；
及び、火災や災難が発生した場合、下部ハンドル（２５）の操作によって下階に設置された壁体固定フレーム（１）と外部フレーム（３）の間に重ねられていた前記摺綴式側部昇下降手段（９）と、前記摺綴式下部底板（１５）と、前記摺綴式非常口開閉手段（１９）とを広げると同時に下階に設置された外部フレーム（３）を建物の前方に押し出すことで避難通路を提供する下部避難構造変更手段（２７）から成り、
普段は前記壁体固定フレーム（１）と前記外部フレーム（３）が相接した状態で前記壁体固定フレーム（１）と前記外部フレーム（３）の間に前記摺綴式側部昇下降手段（９）と、前記摺綴式下部底板（１５）と、前記摺綴式非常口開閉手段（１９）が重ねられて墜落防止用の安全欄干台として使われ、火災や災難が発生した場合、前記上部ハンドル（２１）、前記下部ハンドル（２５）を操作することで火災待避用の避難通路として構造変更されて前記上部避難構造変更手段（２３）、前記下部避難構造変更手段（２７）によって重ねられていた現在の階と下階に設置された前記摺綴式側部昇下降手段（９）と、前記摺綴式下部底板（１５）と、前記摺綴式非常口開閉手段（１９）とが広がると同時に前記外部フレーム（３）が建物の前方に移動し、
避難者は現在の階に設置された前記摺綴式非常口開閉手段（１９）を開放した後、前記非常口（１７）を通して下階の非常口（１７）方向に移動する過程を行うことで火災や災難から身を避け、
前記摺綴式非常口開閉手段（１９）は、前記第１底板（１１）を貫通する非常口（１７）に立ち塞がって前記非常口（１７）の前方の端にヒンジ結合された第１開閉ドア（３１）、
前記第２底板（１３）を貫通する非常口（１７）を塞ぐ第２開閉ドア（３３）、  及び、前記第１開閉ドア（３１）と第２開閉ドア（３３）を繋ぐ開閉ドアヒンジ（３５）を含み、
前記開閉ドアヒンジ（３５）は、前記摺綴式下部底板（１５）に取り付けられたヒンジと連続線上に配置されて前記第１開閉ドア（３１）と前記第２開閉ドア（３３）が前記摺綴式下部底板（１５）に従って折れたり広がったりして、
前記非常口（１７）と相接する前記第２開閉ドア（３３）の端には、前記第２開閉ドア（３３）から前記第２開閉ドア（３３）の後方に突き出されて前記第２開閉ドア（３３）が前記非常口（１７）を塞いだ時、前記非常口（１７）の端に掛かることで前記第２開閉ドア（３３）が前記非常口（１７）の下部方向に軸回転されないようにするストップ板が付加的に取り付けられ、
前記第１底板（１１）と前記第１開閉ドア（３１）の間には一端が第１開閉ドア（３１）に軸固定され、他端が前記第１底板（１１）に軸固定されて所定の力で解放された摺綴式非常口開閉手段（１９）を押し上げる下部ショックアブソーバ（３９）が取り付けられ、
前記第２開閉ドア（３３）の上面にはティグッ
0006949147.tif 000005
形状の握り手（４１）が取り付けられることを特徴とする建築物での火災・災難避難施設。
【請求項２】
前記上部避難構造変更手段（２３）は、前記外部フレーム（３）の上部に固定装着されて前記壁体固定フレーム（１）方向に突き出されたロッキングバー固定ブラケット（４３）、
縦方向に立てられた一字形バーで上面がロッキングバー固定ブラケット（４３）の下面の端部に固定設置されたロッキングバー（４５）、
前記ロッキングバー（４５）と相接した時、前記ロッキングバー（４５）が掛けられて固定され、前記上部ハンドル（２１）と連動されて前記上部ハンドル（２１）の操作によって弾力的に軸回転されて捕まっていた前記ロッキングバー（４５）を放す掛けフック（４７）を設け、前記ロッキングバー（４５）を向き合う前記壁体固定フレーム（１）の上部に取り付けられた外部フレームロッキング手段（４９）、
及び一端が壁体固定フレーム（１）の上部に軸固定されて他端が壁体固定フレーム（１）の左側または右側に設置された前記摺綴式側部昇下降手段（９）の第２側壁（７）に固定されて前記ロッキングバー（４５）が前記掛けフック（４７）から離された時、軸回転され、前記壁体固定フレーム（１）と相接していた前記第２側壁（７）を押し出して前記外部フレーム（３）を前方に移動させると同時に重ねられていた前記摺綴式側部昇下降手段（９）と、前記摺綴式下部底板（１５）と、前記摺綴式非常口開閉手段（１９）とを広げる一対の上部ショックアブソーバ（５１）、
を含むことを特徴とする請求項１記載の建築物での火災・災難避難施設。
【請求項３】
前記上部避難構造変更手段（２３）は、前面に時計回りや反時計回りに軸回転する前記上部ハンドル（２１）が取り付けられたハンドル巻き（５３）、
前記ハンドル巻き（５３）の後面に取り付けられたハンドルブラケット（５５）、
前記ハンドルブラケット（５５）を通過した後、前記ハンドル巻き（５３）の後方に延長され、前記上部ハンドル（２１）に従って回転される回転ボルト（５７）、
前記回転ボルト（５７）に締付られた第１ナット（５９）、
バー形態で一側が前記回転ボルト（５７）に貫通固定されて回転ボルト（５７）に従って回転されるレバー（６１）、
前記回転ボルト（５７）に締付られ、前記第１ナット（５９）と共に前記回転ボルト（５７）に挟まれた前記レバー（６１）に噛みつく第２ナット（６３）、
一端がレバー（６１）の他側に固定されて他端が前記外部フレームロッキング手段（４９）と繋がれたワイヤ（６５）、
及び前記回転ボルト（５７）と、前記第１ナット（５９）、前記レバー（６１）、前記第２ナット（６３）、及び前記ワイヤ（６５）が取り付けられた前記ハンドルブラケット（５５）の上に押っ被せるハンドルカバー（６７）を含み、
前記上部ハンドル（２１）をある一方向に回転させると前記レバー（６１）と繋がれたワイヤ（６５）が引っ張られて、
前記外部フレームロッキング手段（４９）に設けられた前記掛けフック（４７）は引っ張られた前記ワイヤ（６５）によって軸回転されると同時に捕まっていた前記ロッキングバー（４５）を放すことを特徴とする請求項２記載の建築物での火災・災難避難施設。
【発明の詳細な説明】
【技術分野】
【０００１】
本発明は建築物での火災・災難避難施設に関するもので、より詳しくは、火災危険がない普段は墜落防止用のバルコニー欄干台として使われ、火災が発生した場合は火災により孤立された住民が地上に安全待避ができるように火災災難避難施設に構造変更される建築物での火災・災難避難施設に関する。
【背景技術】
【０００２】
一般的に現代では建築物内部の居住空間を拡大すると共に狭い敷地のより効果的な利用のために高層化された建築物が増大されているところ、以上のような高層化された建築物には通常的に人が出入りすることができる主出入口が設けられ、前記主出入口の反対側にはベランダが設置されて、前記ベランダには墜落防止用の安全欄干台が設置される。
【０００３】
このような高層化された建築物は狭い敷地の中に多人数の収容ができるという利点があり、高いビルディングの中で回りの景観を見下ろすことができて、一つの建物内部に様々な便益施設を設けることができるという長所があった。
【０００４】
しかし、以上で提示した高層化された建築物は狭い敷地の上に立ち上がった建築物内部に多くの人が住んでいるので火災発生頻度が高いという短所があり、一度火災が発生したら大型人命事故に繋がりかねない問題点があった。
【０００５】
一方、このような問題点の解決のためにベランダに設置された緩降機を利用して火災から身を避ける方法があったが、以上のような緩降機は操作が難しくて一般人が使用するには無理がある等の問題点があり、ロープ一つに使用者の体重を乗せるという負担のせいで火災による恐怖感と共に緩降機使用による不安感が拭えないという問題点があった。
【０００６】
一方、本発明の先行技術には特許登録番号「10-0927317」号の「火災避難用の安全欄干台」が出願され登録されたが、前記火災避難用の安全欄干台は火災危険がない普段は上層ガラス壁を塞いで、火災が発生した場合、建物外壁に固定されたヒンジによって軸旋回されて下階ガラス壁または下階外壁と相接する第１フレームと、火災危険がない普段の第１フレームと上階ガラス壁の間に介在されて上階ガラス壁を塞いで、火災が発生した場合、前記第１フレームに従って下層ガラス壁または下層外壁方向に旋回される第２フレーム、一側両端段と他側両端段がそれぞれ第１フレームと第２フレームに繋がれて火災危険がない普段の上階ガラス壁と並んで立てられて上階居住者の墜落事故を予防し、第１フレームと第２フレームが下層ガラス壁と下層外壁方向に旋回される時、第１フレームと第２フレームに繋がれた状態で第１フレームと第２フレームの直交方向に広がって第１フレームと第２フレームの間の間隔を広げると同時に足場空間を設ける踏板、及び火災危険がない普段の前記第１フレームと第２フレームがヒンジによって下層ガラス壁または下層外壁に旋回されないように前記第２フレームの一側を上階建築構造物に固定する固定手段から成り立つことができる。
【発明の概要】
【発明が解決しようとする課題】
【０００７】
本発明の目的は、以上の問題点の解決のために、高層ビルディングに火災が発生した場合、高層ビルディングに孤立された人がベランダを通して地上に安全に下りられるようにする建築物での火災・災難避難施設を提供することにある。
【課題を解決するための手段】
【０００８】
以上の目的を達成するための本発明による建築物での火災・災難避難施設は、四角フレーム形態で建物のベランダやバルコニーと相接する建物の外壁に固定設置された壁体固定フレーム；全面が閉鎖された四角フレーム形態で壁体固定フレームの前方に設置された外部フレーム；前記壁体固定フレームと外部フレームとの左右面に一対が設置され、ヒンジ（Hinge）結合されて折れたり広がったりする第１側壁と第２側壁を含み、前記第１側壁は、前記第２側壁とヒンジ結合された側の端部とは反対側の端部で外部フレームに軸固定され、前記第２側壁は、前記第１側壁とヒンジ結合された側の端部とは反対側の端部で壁体固定フレームに軸固定された摺綴式側部昇下降手段；前記壁体固定フレームと外部フレームの下部に設置され、ヒンジ（Hinge）結合されて折れたり広がったりする第１底板と第２底板とを含み、前記第１底板は、前記第２底板とヒンジ結合された側の端部とは反対側の端部で外部フレームに軸固定され、前記第２底板は、前記第１底板とヒンジ結合された側の端部とは反対側の端部で壁体固定フレームに軸固定された摺綴式下部底板；前記摺綴式下部底板を貫通して火災や災難が発生した場合、人が下階に移動することができるようにする非常口；前記非常口に設置された状態で開閉することで非常口を閉鎖したり開放したりして、摺綴式下部底板が折れる時、前記摺綴式下部底板に従って折れ、前記摺綴式下部底板が広がる時、前記摺綴式下部底板に従って広がる摺綴式非常口開閉手段；火災が発生した場合、上部ハンドルの操作によって壁体固定フレームと外部フレームとの間に重ねられていた摺綴式側部昇下降手段と、摺綴式下部底板と、摺綴式非常口開閉手段とを広げると同時に外部フレームを高層建物の前方に押し出すことで避難通路を提供する上部避難構造変更手段；及び火災が発生した場合、下部ハンドルの操作によって下階に設置された壁体固定フレームと外部フレームとの間に重ねられていた摺綴式側部昇下降手段と、摺綴式下部底板と、摺綴式非常口開閉手段とを広げると同時に下階に設置された外部フレームを高層建物の前方に押し出すことで避難通路を提供する下部避難構造変更手段から成り、火災や災難の危険がない普段は壁体固定フレームと外部フレームが相接した状態で壁体固定フレームと外部フレームの間に摺綴式側部昇下降手段と、摺綴式下部底板と、摺綴式非常口開閉手段とが重ねられて墜落防止用の安全欄干台として使われ、火災や災難が発生した場合、上下部ハンドルを操作することで火災待避用避難通路として構造が変更されて上下部避難構造変更手段によって重ねられていた現在の階と下階に設置された摺綴式側部昇下降手段と、摺綴式下部底板と、摺綴式非常口開閉手段とが広がると同時に外部フレームが高層建物の前方に移動し、避難者は現在の階に設置された摺綴式非常口開閉手段を開放した後、次の非常口を通して下階の非常口方向に移動することで火災や災難から身を避けることができる。
【発明の効果】
【０００９】
以上の構造からなる本発明による建築物での火災・災難避難施設は火災危険がない普段は墜落防止用の安全欄干台として使われて、火災が発生した場合、火災待避用の避難施設に構造変更されることができ、火災による人命被害が減らせる。
【図面の簡単な説明】
【００１０】
【図１】図１は火災危険がない普段の本発明がベランダやバルコニーに設置されて墜落防止用の安全欄干台として使用される状態を示す図である。
【図２】図２は火災が発生した場合、ベランダやバルコニーに設置された本発明が構造変更されて火災待避用の通路として使用される状態を示す図である。
【図３】図３は火災危険がない普段の本発明を後面から見た図である。
【図４】図４は火災危険がない普段相接する外部フレームと壁体固定フレームの間に重ねられている摺綴式側部昇下降手段を示す図である。
【図５】図５は火災が発生した場合、一字形態に広がれた摺綴式側部昇下降手段を示す図である。
【図６】図６は火災が発生した場合、火災避難用の通路として構造変更された本発明の底面を示す図である。
【図７】図７は火災が発生した場合、火災避難用の通路として構造変更された本発明を側面から見た図である。
【図８】図８は外部フレームと壁体固定フレームの下部に設置された補強チェーンを示す図である。
【図９】図９は壁体固定フレームに取り付けられた外部フレームロッキング手段と外部フレームに取り付けられたロッキングバー固定ブラケットとロッキングバーを示す図である。
【図１０】図１０はロッキングバー固定ブラケットに取り付けられたロッキングバーを上から見た図である。
【図１１】図１１はロッキングバー固定ブラケットに取り付けられたロッキングバーを側面から見た図である。
【図１２】図１２はロッキングバーに噛みついた外部フレームロッキング手段を示す図である。
【図１３】図１３はロッキングバーが外部フレームロッキング手段から離された状態を示す図である。
【図１４】図１４は上部避難構造変更手段を正面から見た図である。
【図１５】図１５は上部避難構造変更手段を横方向に切断した断面図である。
【図１６】図１６は上部避難構造変更手段を縦方向に切断した断面図である。
【図１７】図１７は火災危険がない普段の本発明を建物内部から見た図である。
【図１８】図１８は火災が発生した場合、本発明が火災避難用の通路に構造変更された時の本発明を建物内部から見た図である。
【符号の説明】
【００１１】
１．壁体固定フレーム  ３．外部フレーム
５．第１側壁  ７．第２側壁
９．摺綴式側部昇下降手段  １１．第1底板
１３．第２底板  １５．摺綴式下部底板
１７．非常口  １９. 摺綴式非常口開閉手段
２１．上部ハンドル  ２３．上部避難構造変更手段
２５．下部ハンドル  ２７．下部避難構造変更手段
２９．補強チェーン  ３１．第１開閉ドア
３３．第２開閉ドア  ３５．開閉ドアヒンジ
３７．ストップ板  ３９．下部ショックアブソーバ
４１．ティグッ
0006949147.tif 000002
形状の握り手
４３．ロッキングバー固定ブラケット
４５．ロッキングバー  ４７．掛けフック
４９．外部フレームロッキング手段  ５１．上部ショックアブソーバ
５３．ハンドル巻き  ５５．ハンドルブラケット
５７．回転ボルト  ５９．第１ナット
６１．レバー  ６３．第２ナット
６５．ワイヤ  ６７．ハンドルカバー
６９．円形穴  ７１．円形溝
７３．第１回転ボルト通過穴  ７５．内部回転板
７７．外部回転板
【発明を実施するための形態】
【００１２】
以下、添付された図面を参照して本発明を詳細に説明する。
【００１３】
本発明による建築物での火災・災難避難施設は図１乃至図７に示したように、四角フレーム形態で建物のベランダやバルコニーと相接する建物の外壁に固定設置された壁体固定フレーム１；全面が閉鎖された四角フレーム形態で壁体固定フレーム１の前方に設置された外部フレーム３；前記壁体固定フレーム１と外部フレーム３との左右面に一対が設置され、ヒンジ（Hinge）結合されて折れたり広がったりする第１側壁５と第２側壁７を含み、前記第１側壁５は、前記第２側壁７とヒンジ結合された側の端部とは反対側の端部で外部フレーム３に軸固定されて、前記第２側壁７は、前記第１側壁５とヒンジ結合された側の端部とは反対側の端部で壁体固定フレーム１に軸固定された摺綴式側部昇下降手段９；前記壁体固定フレーム１と外部フレーム３の下部に設置されて、ヒンジ（Hinge）結合されて折れたり広がったりする第１底板１１と第２底板１３を含み、前記第１底板１１は、前記第２底板１３とヒンジ結合された側の端部とは反対側の端部で外部フレーム３に軸固定され、前記第２底板１３は、前記第１底板１１とヒンジ結合された側の端部とは反対側の端部で壁体固定フレーム１に軸固定された摺綴式下部底板１５；前記摺綴式下部底板１５を貫通して火災や災難が発生した場合、人が下階に移動することができるようにする非常口１７；前記非常口１７に設置された状態で開閉することで非常口１７を閉鎖したり開放したりして、摺綴式下部底板１５が折れる時、前記摺綴式下部底板１５に従って折れ、前記摺綴式下部底板１５が広がる時、前記摺綴式下部底板１５に従って広がる摺綴式非常口開閉手段１９；火災が発生した場合、上部ハンドル２１の操作によって壁体固定フレーム１と外部フレーム３の間に重ねられていた摺綴式側部昇下降手段９と、摺綴式下部底板１５と、摺綴式非常口開閉手段１９とを広げると同時に外部フレーム３を高層建物の前方に押し出すことで避難通路を提供する上部避難構造変更手段２３；及び火災や災難が発生した場合、下部ハンドル２５の操作によって下階に設置された壁体固定フレーム１と外部フレーム３の間に重ねられていた摺綴式側部昇下降手段９と、摺綴式下部底板１５と、摺綴式非常口開閉手段１９とを広げると同時に下階に設置された外部フレーム３を建物の前方に押し出すことで避難通路を提供する下部避難構造変更手段２７から成り立っていて、普段は壁体固定フレーム１と外部フレーム３が相接した状態で壁体固定フレーム１と外部フレーム３の間に摺綴式側部昇下降手段９と、摺綴式下部底板１５と、摺綴式非常口開閉手段１９とが重ねられて墜落防止用の安全欄干台として使われ、火災や災難が発生した場合、上部ハンドル２１、下部ハンドル２５を操作することで火災や災難の待避用の避難通路として構造変更されて上部避難構造変更手段２３、下部避難構造変更手段２７によって重ねられていた現在の階と下階に設置された摺綴式側部昇下降手段９と、摺綴式下部底板１５と、摺綴式非常口開閉手段１９とが広がると同時に外部フレーム３が建物の前方に移動し、避難者は現在の階に設置された摺綴式非常口開閉手段１９を開放した後、非常口１７を通して下階の非常口１７方向に移動することで火災や災難から身を避けることができる。
【００１４】
前記摺綴式側部昇下降手段９に設けられた第１側壁５と第２側壁７は梯子形態のフレームに加工されて火災や災難の避難者が第１側壁５と第２側壁７を登って下階に移動することができる。
【００１５】
前記摺綴式非常口開閉手段１９は図６に示したように、第１底板１１を貫通する非常口１７を立ちふさがって非常口１７の前方の端にヒンジ結合された第１開閉ドア３１と、前記第２底板１３を貫通する非常口１７を塞ぐ第２開閉ドア３３、及び前記第１開閉ドア３１と第２開閉ドア３３を繋ぐ開閉ドアヒンジ３５を含む。
【００１６】
前記開閉ドアヒンジ３５は摺綴式下部底板１５に取り付けられたヒンジと連続線上に配置されて第１開閉ドア３１と第２開閉ドア３３が摺綴式下部底板１５に従って折れたり広がったりする。
【００１７】
また、前記非常口１７と相接する第２開閉ドア３３の端には第２開閉ドア３３から第２開閉ドア３３の後方に突き出され第２開閉ドア３３が非常口１７を塞いだ時、非常口１７の端に掛かることで第２開閉ドア３３が非常口１７の下部方向に軸回転されないようにするストップ板が付加的に取り付けられる。
【００１８】
また、前記第１底板１１と第１開閉ドア３１の間には、一端が第１開閉ドア３１に軸固定され、他端が第１底板１１に軸固定されて所定の力で解放された摺綴式非常口開閉手段１９を押し上げる下部ショックアブソーバ３９を取り付けることができる。
【００１９】
また、前記第２開閉ドア３３の上面にはティグッ
0006949147.tif 000003
形状の握り手４１が取り付けられる。
【００２０】
前記摺綴式側部昇下降手段９と所定の高さの間隔に離れた壁体固定フレーム１の下部両側には図８に示したように、壁体固定フレーム１と外部フレーム３を繋ぐ補強チェーン２９（chain）が取り付けられる。
【００２１】
前記上部避難構造変更手段２３は、図４と図９乃至図１３に示したように、外部フレーム３の上部に固定装着され壁体固定フレーム１方向に突き出されたロッキングバー固定ブラケット４３と、縦方向に立てられた一字形バー（bar）で上面がロッキングバー固定ブラケット４３の下面の端部に固定設置されたロッキングバー４５、前記ロッキングバー４５と相接した時、ロッキングバー４５が掛けられて固定され前記上部ハンドル２１と連動されて上部ハンドル２１の操作によって弾力的に軸回転されて捕まっていたロッキングバー４５を放す掛けフック４７を設け、ロッキングバー４５を向き合う壁体固定フレーム１の上部に取り付けられた外部フレームロッキング手段４９、及び一端が壁体固定フレーム１の上部に軸固定されて他端が壁体固定フレーム１の左側または右側に設置された摺綴式側部昇下降手段９の第２側壁７に固定されてロッキングバー４５が掛けフック４７から離された時、軸回転され壁体固定フレーム１と相接していた第２側壁７を押し出して外部フレーム３を前方に移動させると同時に、重ねられていた摺綴式側部昇下降手段９と、摺綴式下部底板１５と、摺綴式非常口開閉手段１９とを広げる一対の上部ショックアブソーバ５１（Shock Absorber）を含む。
【００２２】
前記上部避難構造変更手段２３は図１４乃至図１６に示したように、前面に時計回りや反時計回りに軸回転する上部ハンドル２１（handle）が取り付けられたハンドル巻き５３と、前記ハンドル巻き５３の後面に取り付けられたハンドルブラケット５５（Handle Bracket）、前記ハンドルブラケット５５を通過した後ハンドル巻き５３の後方に延長され上部ハンドル２１に従って回転される回転ボルト５７、前記回転ボルト５７に締付られた第１ナット５９、バー（bar）形態で一側が前記回転ボルト５７に貫通固定され回転ボルト５７に従って回転されるレバー６１（Lever）、前記回転ボルト５７に締付られ第１ナット５９と共に回転ボルト５７に挟まれたレバーに噛みつく第２ナット６３、一段がレバー６１の他側に固定されて他段が外部フレームロッキング手段４９と繋がれたワイヤ６５（wire）、及び前記回転ボルト５７、第１ナット５９、レバー６１、第２ナット６３、及びワイヤ６５が取り付けられたハンドルブラケット５５の上に押っ被せるハンドルカバー６７（Handle Cover）を含め、前記上部ハンドル２１をある一方向に回転させるとレバー６１と繋がれたワイヤが引っ張られるようになり、前記外部フレームロッキング手段４９に設けられた掛けフック４７は引っ張られたワイヤ６５によって軸回転されると同時に捕まっていたロッキングバー４５を放す。
【００２３】
前記ハンドルブラケット５５には図１５に示したように、回転ボルト５７と同心になる円形穴６９が貫通され、前記ハンドル巻き５３の後面には円形穴６９と同心ななる円形溝７１が加工され、前記円形溝７１には円板形態として回転ボルト５７が通過される第１回転ボルト通過穴７３が貫通された内部回転板７５が挟まれ、前記内部回転板７５の上には円板形態で円形溝７１が挟まれて中央に回転ボルト５７が貫通結合され、前記内部回転板７５とボルト結合された外部回転板７７が載せられる。
【００２４】
前記内部回転板７５と外部回転板７７は、回転ボルト５７に掛かる重さを分散させると同時に回転ボルト５７の回転中心が乱されることを予防する。
【００２５】
前記下部避難構造変更手段２７は下部ハンドル２５の操作時に下階に設置された掛けフック４７に噛みついていたロッキングバー４５が掛けフック４７から抜け出ることだけ違って、全般的構造は上部避難構造変更手段２３と同様なので詳細な説明は省略する。
【００２６】
以上のような構造になっている本発明による建築物での火災災難避難施設の動作過程を図１乃至図１８を参照して説明すると以下のようである。
【００２７】
高層建物内部に火災が発生した場合、前記上部ハンドル２１と下部ハンドル２５を操作すると、現在の階と下階に設置されたロッキングバーが掛けフック４７から抜け出すことになる。
【００２８】
また、現在の階と下階に設置された上部ショックアブソーバ５１は第２側壁７を押しのけるようになり、前記第１側壁５と第２側壁７は一字形態に広がると同時に外部フレーム３を前方に移動させて折られていた第１底坂１１と第２底坂１３、そして第１開閉ドア３１と第２開閉ドア３３は一字形態に広がることになる。
火災または災難の避難者は広がれた第１底坂１１と第２底坂１３に上った後、第２開閉ドア３３に取り付けられたティグッ
0006949147.tif 000004
形状の握り手４１を掴みあげて非常口１７を開放した後、次の非常口１７を通して下階に移動することができる。
【００２９】
以上のような構造になっている本発明による建築物での火災・災難避難施設は火災または災難の危険がない普段は墜落防止用の安全欄干台として使われ、火災や災難が発生した場合、退避用の避難施設に構造変更することができる。
【図１】
0006949147.tif 000006
【図２】
0006949147.tif 000007
【図３】
0006949147.tif 000008
【図４】
0006949147.tif 000009
【図５】
0006949147.tif 000010
【図６】
0006949147.tif 000011
【図７】
0006949147.tif 000012
【図８】
0006949147.tif 000013
【図９】
0006949147.tif 000014
【図１０】
0006949147.tif 000015
【図１１】
0006949147.tif 000016
【図１２】
0006949147.tif 000017
【図１３】
0006949147.tif 000018
【図１４】
0006949147.tif 000019
【図１５】
0006949147.tif 000020
【図１６】
0006949147.tif 000021
【図１７】
0006949147.tif 000022
【図１８】
0006949147.tif 000023